(57)【要約】【課題】ベランダや家の庭でプランターを使用して植物（野菜）栽培が出来るように考案した誰もが簡単に利用できる農具を提供する。【解決手段】支柱脚（２）（３）は丸棒をコの字型に成型した２本の中心部でＸ字状に溶接、支柱脚（２）（３）の中心部にボルト（４）を溶接、ジョイント（７）は丸棒を数十ｃｍで切断し上部下部に８ｍｍのネジを３０ｍｍ成型、上皿（８）は針金で長方形に成型したその内側に縦複数本、横少なくとも１本の補強を入れその中心にロングナットを溶接、ロングナット上部左右に針金で補強をする、支柱脚（２）（３）とジョイント（７）は第２ロングナット（６）で連結しジョイント（７）と上皿（８）は上皿の中心部のナットで連結する。コの字型に成型した支柱の脚（２）（３）の先端を斜めにカットする、カットした少し上部にブラケット（５）を斜め内側に溶接した植物栽培支柱。【選択図】図１
2020068753.tif 000002
【特許請求の範囲】
【請求項１】
支柱脚（２）（３）、ジョイント（７）、上皿（８）、の三部分から構成される支柱である。
前記支柱脚（２）（３）は丸棒をコの字型に成型した２本の中心部をＸ字状に溶接し前記支柱脚（２）（３）の中心部にボルト（４）を溶接し
前記ジョイント（７）は丸棒を適宜の長さで切断し上部下部にネジを成型し、
前記上皿（８）は針金を長方形に成型したその内側に針金で縦複数本、横少なくとも１本の補強を入れ、その中心部に第１ロングナットを溶接し、前記第１ロングナットの上部左右を針金で補強し、
前記支柱脚（２）（３）と前記ジョイント（７）は第２ロングナット（６）で連結し前記ジョイント（７）と前記上皿（８）は上皿の中心部の第１ロングナットで連結し、
前記コの字型に成型した支柱脚（２）（３）の先端を斜めにカットする、カットした少し上部にブラケット（５）を斜め内側に溶接することを特徴とする植物栽培支柱。
【請求項２】
前記支柱脚（２）（３）とジョイント（７）を構成する丸棒の太さは８ｍｍから１０ｍｍで、前記ボルト（４）は８ｍｍで、前記上皿（８）の針金は４ｍｍから６ｍｍであることを特徴とする請求項１に記載の植物栽培支柱。
【発明の詳細な説明】
【技術分野】
【０００１】      本発明は、プランターに植え付けた植物（野菜）の苗が風雨などで倒れるのを防止する植物栽培支柱である。
【背景技術】
【０００２】      この種プランター支柱保持具の一例としては、プランターの上部にブラケットを取り付けその中心部に支柱を立てる保持具が開発されている（例えば特許文献１参照）この装置は取付け部が一点（ブラケット、支柱）で固定されているので支柱が弱い、又部品が多いために組み立てに時間がかかる。【０００３】      特許文献１のプランター保持具では、プランターに植物を植え支柱を立てると植物の根が支柱に当たり根を損傷させる恐れがある。
【先行技術文献】
【特許文献】
【０００４】
【特許文献１】特開２００７−１５１４０２号公報
【発明の概要】
【発明が解決しようとする課題】      上記のプランター保持具によれば、支柱の取付け部が一点で固定されるので風雨などで倒れやすい、又支柱が植物の根を損傷させる。
【課題を解決するための手段】
【０００５】      本発明に係る植物栽培支柱では、支柱の脚（２）（３）ジョイント（７）上皿（８）の三部分から成り立つ支柱である。【０００６】      支柱脚（２）（３）は９ｍｍ丸棒をコの字型に成型した２本の中心部をＸ字状に溶接し、支柱脚（２）（３）の中心部に８ｍｍのボルト（４）を溶接。【０００７】      ジョイント（７）は９ｍｍ丸棒を数十ｃｍで切断し上部下部に８ｍｍのネジを３０ｍｍ成型する。【０００８】      上皿（８）は５ｍｍの針金で長方形に成型したその内側に針金で縦複数本横少なくとも１本の補強を入れその中心に８ｍｍのロングナットを溶接、ロングナット上部左右に針金で補強をする。【０００９】      支柱脚（２）（３）とジョイント（７）は第２ロングナット（６）で連結しジョイント（７）と上皿（８）は上皿の中心部のナットで連結する。【００１０】      コの字型に成型した支柱脚（２）（３）の先端を斜めにカットする、カットした少し上部にブラケット（５）を斜め内側に溶接する。【００１１】      支柱脚（２）（３）の先端上部にブラケット（５）を溶接することで土とブラケット（５）の間に抵抗がかかり植物栽培支柱が抜けにくい、又支柱脚（２）（３）の先端が中心部に無い為に植物の根を損傷させない。
【発明の効果】
【００１２】      本発明においては、風雨が強くても倒れにくい植物栽培支柱である。
【図面の簡単な説明】
【００１３】
【図１】  プランターと栽培支柱の図
【図２】  栽培支柱と野菜（苗）の図
【図３】  上皿の上面からの図
【図４】  上皿の正面からの図
【図５】  ブラケットの広大図
【発明を実施するための形態】
【００１４】      図１ないし図５は本発明に係る植物栽培支柱の実施例を示す、図１において支柱脚（２）（３）は９ｍｍの丸棒をコの字型に成型した２本の中心部をＸ字状に溶接、支柱脚（２）（３）の中心部に８ｍｍボルト（４）を溶接、ジョイント（７）は９ｍｍ丸棒を数十ｃｍで切断し上部下部に８ｍｍのネジを３０ｍｍ成型し、上皿（８）は５ｍｍの針金で長方形に成型したその内側に針金で縦複数本、横少なくとも１本の補強を入れその中心に８ｍｍのロングナットを溶接、ロングナット上部左右に針金で補強をする、支柱脚（２）（３）とジョイント（７）は第２ロングナット（６）で連結しジョイント（７）と上皿（８）は上皿の中心部のロングナットで連結する。
【００１５】      図５においてコの字型に成型した支柱脚（２）（３）の先端を斜めにカットする、カットした少し上部にブラケット（５）を斜め内側に溶接する。
【符号の説明】
【００１６】      １  プランター                      ５  ブラケット
２  支柱脚                          ６  第２ロングナット
３  支柱脚                          ７  ジョイント
４  中心のボルト                    ８  上皿
【図１】
2020068753.tif 000003
【図２】
2020068753.tif 000004
2020068753.tif 000005
【図５】
2020068753.tif 000006
【手続補正書】
【提出日】平成31年1月30日(2019.1.30)
【手続補正２】
【補正対象書類名】図面
【補正対象項目名】全図
【補正方法】変更
【補正の内容】
【図１】
2020068753.tif 000007
【図２】
2020068753.tif 000008
【図３】
2020068753.tif 000009
【図４】
2020068753.tif 000010
【図５】
2020068753.tif 000011
【手続補正書】
【提出日】令和1年10月18日(2019.10.18)
【手続補正１】
【補正対象書類名】特許請求の範囲
【補正対象項目名】請求項１
【補正方法】変更
【補正の内容】
【請求項１】
支柱脚（２）（３）、ジョイント（７）、上皿（８）、の三部分から構成される支柱であり、
前記支柱脚（２）（３）は丸棒をコの字型に成型した２本の中心部をＸ字状に溶接し前記支柱脚（２）（３）の中心部にボルト（４）を溶接し
前記ジョイント（７）は丸棒を適宜の長さで切断し上部下部にネジを成型し、
前記上皿（８）は針金を長方形に成型したその内側に針金で縦複数本、横少なくとも１本の補強を入れ、その中心部に第１ロングナットを溶接し、前記第１ロングナットの上部左右を針金で補強し、
前記支柱脚（２）（３）と前記ジョイント（７）は第２ロングナット（６）で連結し前記ジョイント（７）と前記上皿（８）は上皿の中心部の第１ロングナットで連結し、
前記コの字型に成型した支柱脚（２）（３）の先端を斜めにカットする、カットした先端上部にブラケット（５）を内側に向けて溶接することを特徴とする植物栽培支柱。